(57)【要約】【課題】緊急に伝えなくてはならない情報を比較的高い確率で通知する。【解決手段】アダプタ７２は、ＬＡＮインターフェイス１１４と、ＴＥＬインターフェイス１２０と、制御部１１０とを含む。ＬＡＮインターフェイス１１４は、情報を通信する。ＴＥＬインターフェイス１２０は、電話機７４と情報を通信する。制御部１１０は、緊急情報を報知するパケットをＬＡＮインターフェイス１１４が受信した場合、そのパケットの受信後にＬＡＮインターフェイス１１４が情報を受信するか否かに関わらず、音声データを電話機７４に送信するようにＴＥＬインターフェイス１２０を制御する。【選択図】図１
2007300533.tif 000002
【特許請求の範囲】
【請求項１】
情報を通信するための第１の通信手段と、
電話機と情報を通信するための第２の通信手段と、
着信信号の送出を要求する情報のうち緊急情報を前記第１の通信手段が受信した場合、前記緊急情報の受信後に前記第１の通信手段が情報を受信するか否かに関わらず、前記緊急情報の内容を表わす信号を前記電話機に送信するように前記第２の通信手段を制御するための制御手段とを含む、ＩＰ電話アダプタ。
【請求項２】
前記制御手段は、
音声に対応する情報を記憶するための記憶手段と、
前記緊急情報を前記第１の通信手段が受信し、かつオフフックを表わす信号を前記第２の通信手段が受信すると、前記記憶手段が記憶した情報を信号として前記電話機に送信するように前記第２の通信手段を制御するための手段とを含む、請求項１に記載のＩＰ電話アダプタ。
【請求項３】
前記制御手段は、
前記緊急情報を前記第１の通信手段が受信し、かつ前記オフフックを表わす信号を前記第２の通信手段が受信すると、前記記憶手段が前記音声に対応する情報として記憶した第１の音声データのいずれかを前記緊急情報の内容に応じて選択するための第１の選択手段と、
前記緊急情報を前記第１の通信手段が受信し、かつ前記オフフックを表わす信号を前記第２の通信手段が受信すると、前記記憶手段が記憶した符号の情報のいずれかを前記緊急情報の内容に応じて選択するための第２の選択手段と、
メッセージと共に前記緊急情報を前記第１の通信手段が受信し、かつ前記オフフックを表わす信号を前記第２の通信手段が受信すると、前記記憶手段が前記音声に対応する情報として記憶した第２の音声データから前記メッセージを表わすデータを合成するための合成手段とのうち少なくとも１つをさらに含み、
前記第２の通信手段を制御するための手段は、前記第１の音声データのうち前記緊急情報の内容に対応するデータと、前記音声に対応する情報のうち前記緊急情報の内容に対応する情報と、前記メッセージを表わすデータとのうち少なくとも１つを、前記電話機に信号として送信するように前記第２の通信手段を制御するための手段を含む、請求項２に記載のＩＰ電話アダプタ。
【請求項４】
前記制御手段は、前記記憶手段が記憶する情報をダウンロードするように、前記第１の通信手段を制御するための手段をさらに含む、請求項２に記載のＩＰ電話アダプタ。
【請求項５】
前記ＩＰ電話アダプタは、音および光の少なくとも一方を出力するための出力手段をさらに含み、
前記制御手段は、前記緊急情報を前記第１の通信手段が受信すると、前記音および光の少なくとも一方を出力するように前記出力手段を制御するための手段をさらに含む、請求項２に記載のＩＰ電話アダプタ。
【請求項６】
前記制御手段は、前記緊急情報を前記第１の通信手段が受信した場合、ユーザによる前記電話機の操作に応じて前記電話機が送信する信号を前記第２の通信手段が受信するまで、前記記憶手段が記憶した情報を前記電話機に信号として繰返して送信するように前記第２の通信手段を制御するための手段をさらに含む、請求項２に記載のＩＰ電話アダプタ。
【請求項７】
前記制御手段は、
前記第１の通信手段が受信した情報が前記着信信号の送出を要求する情報であって前記緊急情報以外の情報である一般情報の場合、前記着信信号を前記電話機に送信するように前記第２の通信手段を制御するための手段と、
前記一般情報を前記第１の通信手段が受信し、かつ前記オフフックを表わす信号を前記第２の通信手段が受信すると、前記第１の通信手段と第２の通信手段との間で情報の通信を中継するための手段とをさらに含む、請求項２に記載のＩＰ電話アダプタ。
【請求項８】
前記制御手段は、電話番号によって内容を表わす前記緊急情報を前記第１の通信手段が受信した場合、前記第２の通信手段を制御するための手段を含む、請求項１に記載のＩＰ電話アダプタ。
【請求項９】
情報を通信する第１の通信ステップと、
電話機と情報を通信する第２の通信ステップと、
着信信号の送出を要求する情報のうち通信の対象に対応する情報を含む情報である特定情報を前記第１の通信ステップにおいて受信した場合、前記特定情報の受信後に前記第１の通信ステップにおいて情報を受信するか否かに関わらず、前記通信の対象を表わす情報を前記電話機に送信するように前記第２の通信ステップを制御する制御ステップとを含む、中継方法。
【請求項１０】
情報を通信する第１の通信ステップと、
電話機と情報を通信する第２の通信ステップと、
着信信号の送出を要求する情報のうち通信の対象に対応する情報を含む情報である特定情報を前記第１の通信ステップにおいて受信した場合、前記特定情報の受信後に前記第１の通信ステップにおいて情報を受信するか否かに関わらず、前記通信の対象を表わす情報を前記電話機に送信するように前記第２の通信ステップを制御する制御ステップとを含む各ステップをコンピュータに実行させるための中継プログラム。
【発明の詳細な説明】
【技術分野】
【０００１】
本発明は、ＩＰ電話アダプタ、中継方法、および中継プログラムに関し、特に、加入者を呼び出すために用いられるＩＰ電話アダプタ、中継方法、および中継プログラムに関する。
【背景技術】
【０００２】
特許文献１は、ＩＰ（Internet Protocol）ネットワークに接続され、ＩＰネットワークを通じて音声情報をパケット化データとして送受信する１台または複数台の電話端末と、ＩＰネットワークに接続されるとともに公衆電話網に接続され、ＩＰネットワークと公衆電話網との間での送受信情報の中継交換処理を行なうネットワーク間中継交換装置とを備えるＩＰ電話システムを開示する。特許文献１に開示されたＩＰ電話システムにおいて、ネットワーク間中継交換装置は、公衆電話網を通じて相手先と通信中に通信路が遮断された場合、所定の情報を音声情報に変換して相手先に送信する。
【０００３】
特許文献１に開示された発明によると、ＩＰネットワークを通じた緊急通報において、緊急通報の送信と通報先から通報元への逆信とが確実に実施できる。
【０００４】
特許文献２は、緊急事態を通報するために、通報者が所定の被通報者に電話をかけ、当該被通報者と通話するための緊急通報装置を開示する。特許文献２に開示された緊急通報装置は、通報機と、スピーカと、受信部と、記憶装置と、発信装置と、制御装置とを備える。通報機は、通報者に携帯され、通報者が操作したときに、所定の無線信号を送信するとともに、被通報者との通話を可能にする。スピーカは、この通報機と別個に設けられ、被通報者の音声を通報者に伝える。受信部は、通報機からの無線信号を受信する。記憶装置は、複数かつ所定の被通報者の電話番号を、電話をかけるべき優先順位とともに記憶する。発信装置は、電話番号を記憶した複数の電話のいずれかに電話をかける。制御装置は、受信部が通報機からの無線信号を受信したときに、優先順位に従って電話をかけるように、発信装置を制御する。
【０００５】
特許文献２に開示された発明によると、通報者が所望する被通報者に優先的に緊急通報することができるとともに、緊急通報を確実に行なうことができる。
【０００６】
非特許文献１は、一般的なＩＰ電話サービスの発明について説明する。
【特許文献１】特開２００４−１２０７１５号公報
【特許文献２】特開２００５−６５２４８号公報
【非特許文献１】千村保文，「ＳＩＰ教科書」，第１版，ＩＤＧジャパン，２００３年５月，ｐ２６−５９
【発明の開示】
【発明が解決しようとする課題】
【０００７】
しかしながら、特許文献１に開示された発明と特許文献２に開示された発明と非特許文献１に開示された発明とには、次に述べる問題点がある。その問題点とは、次に述べる通知を実施できない可能性が比較的高いという問題点である。その通知とは、津波その他の災害や重大犯罪についての、一般市民に対する通知である。以下の説明において、このような通知のために通信される情報を「緊急情報」と称する。また、以下の説明において、通信される情報を「通信の対象を表わす情報」と称する。通信の対象を表わす情報には、緊急情報も含まれる。緊急情報が通信される場合、「通信の対象」は緊急情報の内容を意味する。
【０００８】
図２９は、一般的なＩＰ電話システムの通信の手順を表わす図である。図２９を参照して、一般的なＩＰ電話システムの通信の手順を具体的に説明する。１台または複数台のＩＰ電話サーバによって、複数台の加入ユーザのＩＰ電話アダプタが互いに接続されていることとする。ＩＰ電話アダプタＡに接続された電話機Ａの受話器をユーザが持上げると、電話機Ａはオフフックを表わす信号をＩＰ電話アダプタＡに送信する。なお、本発明の説明において「オフフック」とは受話器が持上げられた状態を表わす。オフフックを表わす信号が送信されると、ＩＰ電話アダプタＡは発信音の信号を電話機Ａに送出する。この状態でユーザが電話機Ａに電話番号を入力すると、ＩＰ電話アダプタＡはその番号をＩＰ電話サーバに送出する。その番号を送出するためのパケットを本発明の説明では「接続要求メッセージ」と称する。ＩＰ電話サーバは、加入ユーザのうち届けられた電話番号に対応したユーザのＩＰ電話アダプタＢに接続要求メッセージを通知する。接続要求メッセージを受けたＩＰ電話アダプタＢは、接続されている電話機Ｂに対して着信信号を送出する。着信信号が送出された電話機Ｂは鳴動する。併せて、ＩＰ電話アダプタＢは、ＩＰ電話サーバを介して、呼出中であることを表わすメッセージをＩＰ電話アダプタＡに送出する。ＩＰ電話アダプタＡは着信音を表わす信号を電話機Ａに送出する。着信側のユーザが受話器を上げると、電話機Ｂはオフフックを表わす信号をＩＰ電話アダプタＢに送出する。オフフックを表わす信号が送出されると、ＩＰ電話アダプタＢはＩＰ電話サーバヘ応答のメッセージを届ける。ＩＰ電話サーバは、発信側のＩＰ電話アダプタＡに応答のメッセージを届ける。この後、発信側のＩＰ電話アダプタＡと着信側のＩＰ電話アダプタＢとが直接音声データを交換することによって、ユーザ同士の通話は可能となる。発信された電話番号がＩＰ電話サーバで未知ならば、ＩＰ電話サーバは、他のＩＰ電話網や固定電話網への接続用装置（ゲートウェイ）を通して、ユーザ同士の通話を可能にする。
【０００９】
緊急情報などのため短い時間で確実に多くの人へ情報を伝えたい場合、各ユーザに対して上述した手順をとっていると、全員へ伝えるまでに多くの時間を要する。その間に、ＩＰ電話サーバやＩＰ電話網に使用している設備が災害などで破損したり故障したり停電したりすることで使えなくなった場合は、伝えたい情報をユーザ全員に伝えることが不可能になってしまう。
【００１０】
本発明は上述の問題点を解決するためになされたものであって、その目的は、緊急に伝えなくてはならない情報を比較的高い確率で通知できるＩＰ電話アダプタ、中継方法、および中継プログラムを提供することにある。
【課題を解決するための手段】
【００１１】
上記目的を達成するために、本発明のある局面にしたがうと、ＩＰ電話アダプタは、第１の通信手段と、第２の通信手段と、制御手段とを含む。第１の通信手段は、情報を通信する。第２の通信手段は、電話機と情報を通信する。制御手段は、着信信号の送出を要求する情報のうち緊急情報を第１の通信手段が受信した場合、緊急情報の受信後に第１の通信手段が情報を受信するか否かに関わらず、緊急情報の内容を表わす信号を電話機に送信するように第２の通信手段を制御する。
【００１２】
また、上述の制御手段は、記憶手段と、第２の通信手段を制御するための手段とを含むことが望ましい。記憶手段は、音声に対応する情報を記憶する。第２の通信手段を制御するための手段は、緊急情報を第１の通信手段が受信し、かつオフフックを表わす信号を第２の通信手段が受信すると、記憶手段が記憶した情報を信号として電話機に送信するように第２の通信手段を制御する。
【００１３】
もしくは、上述の制御手段は、第１の選択手段と、第２の手段と、合成手段とのうち少なくとも１つをさらに含むことが望ましい。第１の選択手段は、緊急情報を第１の通信手段が受信し、かつオフフックを表わす信号を第２の通信手段が受信すると、記憶手段が音声に対応する情報として記憶した第１の音声データのいずれかを緊急情報の内容に応じて選択する。第２の選択手段は、緊急情報を第１の通信手段が受信し、かつオフフックを表わす信号を第２の通信手段が受信すると、記憶手段が記憶した符号の情報のいずれかを緊急情報の内容に応じて選択する。合成手段は、メッセージと共に緊急情報を第１の通信手段が受信し、かつオフフックを表わす信号を第２の通信手段が受信すると、記憶手段が音声に対応する情報として記憶した第２の音声データからメッセージを表わすデータを合成する。併せて、第２の通信手段を制御するための手段は、第１の音声データのうち緊急情報の内容に対応するデータと、音声に対応する情報のうち緊急情報の内容に対応する情報と、メッセージを表わすデータとのうち少なくとも１つを、電話機に信号として送信するように第２の通信手段を制御するための手段を含むことが望ましい。
【００１４】
もしくは、上述の制御手段は、記憶手段が記憶する情報をダウンロードするように、第１の通信手段を制御するための手段をさらに含むことが望ましい。
【００１５】
もしくは、上述のＩＰ電話アダプタは、音および光の少なくとも一方を出力するための出力手段をさらに含むことが望ましい。併せて、制御手段は、緊急情報を第１の通信手段が受信すると、音および光の少なくとも一方を出力するように出力手段を制御するための手段をさらに含むことが望ましい。
【００１６】
もしくは、上述の制御手段は、緊急情報を第１の通信手段が受信した場合、ユーザによる電話機の操作に応じて電話機が送信する信号を第２の通信手段が受信するまで、記憶手段が記憶した情報を電話機に信号として繰返して送信するように第２の通信手段を制御するための手段を含むことが望ましい。
【００１７】
もしくは、上述の制御手段は、第２の通信手段を制御するための手段と、通信を中継するための手段とをさらに含むことが望ましい。第２の通信手段を制御するための手段は、第１の通信手段が受信した情報が着信信号の送出を要求する情報であって緊急情報以外の情報である一般情報の場合、着信信号を電話機に送信するように第２の通信手段を制御する。通信を中継するための手段は、一般情報を第１の通信手段が受信し、かつオフフックを表わす信号を第２の通信手段が受信すると、第１の通信手段と第２の通信手段との間で情報の通信を中継する。
【００１８】
また、上述の制御手段は、電話番号によって内容を表わす緊急情報を第１の通信手段が受信した場合、第２の通信手段を制御するための手段を含むことが望ましい。
【００１９】
本発明の他の局面にしたがうと、中継方法は、第１の通信ステップと、第２の通信ステップと、制御ステップとを含む。第１の通信ステップは、情報を通信する。第２の通信ステップは、電話機と情報を通信する。制御ステップは、着信信号の送出を要求する情報のうち通信の対象に対応する情報を含む情報である特定情報を第１の通信ステップにおいて受信した場合、特定情報の受信後に第１の通信ステップにおいて情報を受信するか否かに関わらず、通信の対象を表わす情報を電話機に送信するように第２の通信ステップを制御する。
【００２０】
本発明の他の局面にしたがうと、中継プログラムは、第１の通信ステップと、第２の通信ステップと、制御ステップとを含む各ステップをコンピュータに実行させる。第１の通信ステップは、情報を通信する。第２の通信ステップは、電話機と情報を通信する。制御ステップは、着信信号の送出を要求する情報のうち通信の対象に対応する情報を含む情報である特定情報を第１の通信ステップにおいて受信した場合、特定情報の受信後に第１の通信ステップにおいて情報を受信するか否かに関わらず、通信の対象を表わす情報を電話機に送信するように第２の通信ステップを制御する。
【発明の効果】
【００２１】
本発明に係るＩＰ電話アダプタ、中継方法、および中継プログラムは、緊急に伝えなくてはならない情報を比較的高い確率で通知できる。
【発明を実施するための最良の形態】
【００２２】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２３】
＜第１の実施の形態＞
図１は、本実施の形態に係るＩＰ電話システムの構成を表わす図である。図１を参照して、本実施の形態に係るＩＰ電話システムは、ＩＰ電話サーバ５４と、ＩＰ電話端末７０とを含む。ＩＰ電話サーバ５４は、所定の機関から緊急情報を受信すると、ＩＰ電話網５６を介して、ユーザの居宅５８に設置されたＩＰ電話端末７０にそのことを報知する。緊急情報を受信したことは一斉に報知される。必要があれば、ＩＰ電話サーバ５４は、ＩＰ電話ゲートウェイ６０を介して他のＩＰ電話網や固定電話網などにそのことを報知する。ＩＰ電話端末７０は、ＩＰ電話サーバ５４が緊急情報を受信したことをＩＰ電話サーバ５４が報知すると、そのことをユーザに報知する。なお、前述した「所定の機関」は、緊急情報を送信する機関であって、本実施の形態においては消防署５０や警察署５２がこれにあたる。ただし「所定の機関」はこれらに限られるものではない。「所定の機関」は、気象庁や警察庁その他の国の機関、地方自治体、公共団体、公益法人、あるいは緊急情報の送信を委任された一個人などであってもよい。
【００２４】
ＩＰ電話端末７０は、アダプタ７２と電話機７４とを含む。アダプタ７２は、ＩＰ電話サーバ５４と電話機７４との間の通信を中継する中継装置である。アダプタ７２は、ＩＰ電話サーバ５４が緊急情報を受信するとそのことに応じて電話機７４を制御する装置でもある。電話機７４は、ユーザが音声の通信に用いる装置である。
【００２５】
図２は、本実施の形態に係るＩＰ電話サーバ５４の制御ブロック図である。図２を参照して、ＩＰ電話サーバ５４は、ＣＰＵ（Central processing Unit）８０と、ＲＯＭ（Read Only Memory）８２と、ＲＡＭ（Random Access Memory）８４と、ハードディスク８６と、メモリカードドライブ８８と、ＣＤ−ＲＯＭ（Compact Disc-Read Only Memory）ドライブ９０と、マウス９２と、キーボード９４と、ディスプレイ９６と、プリンタ９８と、インターフェイス１００とを含む。これらはバス１０２によって互いに通信できるように接続されている。
【００２６】
ＣＰＵ８０は、ＩＰ電話サーバ５４の各部を制御するためにプログラムを実行する装置である。
【００２７】
ＲＯＭ８２は、ＣＰＵ８０が実行するオペレーティングシステムを記憶する装置である。
【００２８】
ＲＡＭ８４は、ＣＰＵ８０がプログラムを実行するために必要な情報を一時的に記憶する装置である。
【００２９】
ハードディスク８６は、本実施の形態に係るＩＰ電話サーバ５４を実現するためのプログラムと、次に説明するデータとを記憶する装置である。その第１のデータは、ユーザの電話番号をそのユーザの役割に対応付けたデータである。図３は、ユーザの電話番号をその役割に対応付けたデータの概念図である。第２のデータは、ユーザの電話番号をそのユーザの住む地域に対応付けたデータである。図４は、ユーザの電話番号をその住む地域に対応付けたデータの概念図である。これらのデータは、伝えたい内容によってユーザをグルーピングするために用いられる。第３のデータは、特番と特番の内容との関係を表わすデータである。本実施の形態において「特番」とは、報知する内容に予め対応付けられた特別な電話番号を意味する。図５は、本実施の形態における特番と特番の内容との関係を表わす図である。ハードディスク８６が実際に記憶する特番の内容は、通知する情報の種類と情報を通知する地域や役割とである。
【００３０】
メモリカードドライブ８８は、メモリカード１０４から本実施の形態に係るＩＰ電話サーバ５４を実現するためのプログラムを読取る装置である。
【００３１】
ＣＤ−ＲＯＭドライブ９０は、ＣＤ−ＲＯＭ１０６から本実施の形態に係るＩＰ電話サーバ５４を実現するためのプログラムを読取る装置である。
【００３２】
マウス９２は、ディスプレイ９６に表示されたポインタを移動させたりディスプレイ９６に表示されたアイコンをクリックしたりするためにユーザが用いる入力装置である。キーボード９４は、キーを介してユーザが情報を入力する装置である。ディスプレイ９６は、ユーザに対し、表示により、情報を出力する装置である。プリンタ９８は、ユーザに対し、印字により、情報を出力する装置である。
【００３３】
インターフェイス１００は、ＩＰ電話網５６を介して消防署５０に設置された電話機や警察署５２に設置された電話機やユーザの居宅５８に設置されたＩＰ電話端末７０と通信する装置である。
【００３４】
本実施の形態に係るＩＰ電話サーバ５４は、上述したコンピュータハードウェアとＣＰＵ８０により実行されるソフトウェアとにより実現される。一般的にこうしたソフトウェアは、メモリカード１０４やＣＤ−ＲＯＭ１０６などの記録媒体に格納されて流通し、メモリカードドライブ８８やＣＤ−ＲＯＭドライブ９０により記録媒体から読取られてハードディスク８６に一旦格納される。さらにＲＡＭ８４に読出されて、上述したＣＰＵ８０により実行される。上述したコンピュータハードウェア自体は一般的なものである。したがって、本発明の最も本質的な部分は、メモリカード１０４やＣＤ−ＲＯＭ１０６に記録されたソフトウェアである。
【００３５】
図６は、アダプタ７２の制御ブロック図である。図６を参照して、本実施の形態に係るアダプタ７２は、制御部１１０と、記憶部１１２と、ＬＡＮ（Local Area Network）インターフェイス１１４と、ＰＨＹ（Physical Layer Chip）１１６と、ＳＬＩＣ（Subscriber Line Interface）１１８と、ＴＥＬインターフェイス１２０とを含む。
【００３６】
制御部１１０は、アダプタ７２の各部を制御する。制御部１１０は、制御のための演算を実施する装置でもある。
【００３７】
記憶部１１２は、制御部１１０がアダプタ７２の各部を制御するために必要な情報を記憶する。記憶部１１２は、そのような情報として、次のデータを記憶する。その第１のデータは、音声に対応する情報である。本実施の形態の場合、音声に対応する情報として、メッセージを表わす音声データが記憶されている。この音声データは、通知する情報の種類に対応付けられている。図７は、そのデータを表わす図である。第２のデータは、特番と特番の内容との関係を表わすデータである。このデータは、ハードディスク８６が記憶するデータと同様に、特番と通知する情報の種類と情報を通知する地域や役割とを対応付けたデータである。第３のデータは、本実施の形態に係るアダプタ７２として動作するために制御部１１０が実行するプログラムのデータである。一般的にこうしたプログラムは、予め記憶部１１２に格納された状態で流通するが、記録媒体に記録された状態で流通し、図示しない読取り装置により記録媒体から読取られて記憶部１１２に格納されることもある。記憶部１１２として動作するメモリが一種の記録媒体として流通することもあり得る。記憶部１１２に格納されたプログラムは、上述した制御部１１０により実行される。本実施の形態の場合、アダプタ７２のハードウェア自体は一般的なコンピュータハードウェアの一種である。したがって、本発明の最も本質的な部分は、記憶部１１２に記録されたプログラムである。
【００３８】
ＬＡＮインターフェイス１１４は、ＩＰ電話網５６すなわちネットワークを介してＩＰ電話サーバ５４との間で情報を通信する装置である。
【００３９】
ＰＨＹ１１６は、ＩＰ電話網５６において通信可能な信号と制御部１１０が利用できる信号とを相互に変換する装置である。
【００４０】
ＳＬＩＣ１１８は、制御部１１０が利用できる信号と電話機７４が利用できる信号とを相互に変換する装置である。ＳＬＩＣ１１８は、信号波形の制御を通じて電話機７４の動作を制御する装置でもある。
【００４１】
ＴＥＬインターフェイス１２０は、電話機７４との間で信号により情報を通信する装置である。
【００４２】
電源１２２は、交流電源またはＡＣアダプタなどから電力の供給を受けて、アダプタ７２の各部に電力を供給する装置である。
【００４３】
図８は、電話機７４の制御ブロック図である。図８を参照して、本実施の形態に係る電話機７４は、制御回路１３０と、通話回路１３６と、受話器１３８と、フックスイッチ１４０と、スピーカ１４２と、操作キー１４４と、メモリ１４６とを含む。ただし、アダプタ７２に接続される電話機は必ずしも図８に示す各回路を含むものでなくてよい。たとえば、アダプタ７２に接続される電話機は、受話器１３８とフックスイッチ１４０と操作キー１４４とのみを含む電話機であってもよい。
【００４４】
制御回路１３０は、電話機７４の各部を制御する。通話回路１３６は、受話器１３８に入力されたり受話器１３８から出力されたりした音声信号をアダプタ７２との間の回線に伝達する。
【００４５】
受話器１３８は、ユーザの音声を音声信号に変換する。受話器１３８は、通話回路１３６が出力した音声信号を音声に変換する装置でもある。
【００４６】
フックスイッチ１４０は、受話器１３８が置かれているか否かを検知するスイッチである。本発明の説明において、受話器１３８が置かれている状態を「オンフック」と称する。受話器１３８が持ち上げられた（すなわち受話器１３８が置かれていない）状態を「オフフック」と称する。
【００４７】
スピーカ１４２は、オフフックの状態にあるときアダプタ７２が送信した音声信号を音声として出力する装置である。アダプタ７２からの音声信号は通話回路１３６と制御回路１３０とを通じてスピーカ１４２に出力される。
【００４８】
操作キー１４４は、電話番号の入力その他のユーザの操作を受付ける装置である。
メモリ１４６は、制御回路１３０が各種の制御を実施するために必要な情報を記憶する装置である。
【００４９】
図９は、アダプタ７２が音声データをダウンロードすることを表わす概念図である。アダプタ７２の制御部１１０は、記憶部１１２が記憶する音声データを受信するように、ＬＡＮインターフェイス１１４を制御する。このデータは、更新サーバ６２がＩＰ電話網５６を介して送信するデータである。
【００５０】
図１０を参照して、ＩＰ電話サーバ５４で実行されるプログラムは、緊急情報を表わすパケットの送信に関し、以下のような制御を実行する。
【００５１】
ステップＳ２００にて、ＣＰＵ８０は、インターフェイス１００が接続要求メッセージを受信したか否かを判断する。「接続要求メッセージ」とは、通話を要求するために発呼側のアダプタが送信するパケットを意味する。接続要求メッセージは、着信信号の送出を要求する情報を表わすパケットでもある。接続要求メッセージは、所定の機関に設置されたＩＰ電話端末など（ＩＰ電話端末、従来からある電話機、あるいはこれらと同様にＩＰ電話端末７０と通信できる装置）から送信される。接続要求メッセージを受信したと判断した場合には（ステップＳ２００にてＹＥＳ）、処理はステップＳ２０２へと移される。もしそうでないと（ステップＳ２００にてＮＯ）、処理はステップＳ２００へと戻される。
【００５２】
ステップＳ２０２にて、ＣＰＵ８０はインターフェイス１００が受信した接続要求メッセージが緊急情報を表わすパケットか否かを判断する。緊急情報を表わすパケットと判断した場合には（ステップＳ２０２にてＹＥＳ）、処理はステップＳ２０４へと移される。もしそうでないと（ステップＳ２０２にてＮＯ）、処理はステップＳ２０８へと移される。
【００５３】
ステップＳ２０４にて、ＣＰＵ８０は、緊急情報を報知するための接続要求メッセージを作成する。図１１および図１２を参照して、緊急情報を報知するための接続要求メッセージについて説明する。図１１は、緊急情報を報知するための接続要求メッセージのうち、ＳＩＰ（Session Initiation Protocol）に則って記述される部分のデータをテキストデータとして表わした図である。図１２は、通常時に送信する接続要求メッセージのうち、ＳＩＰに則って記述される部分のデータをテキストデータとして表わした図である。図１１に示すテキストデータのうち４行目の部分と図１２に示すテキストデータのうち４行目の部分とを比較すると、「Ｔｏ：」以降の文字列が異なっている。この部分は、接続要求メッセージの宛先を表わす。本実施の形態の場合、この部分は、着信信号の送出を要求する情報である接続要求メッセージが、通信の対象（上述したように、本実施の形態の場合、「通信の対象」は緊急情報の内容のことを意味する。）に応じた電話番号の情報を含むか否かを表わす部分である。この部分が特番を表わす場合、特番が表わされている接続要求メッセージは、電話番号によって通信の対象すなわち内容を表わす緊急情報となる。緊急情報を報知するための接続要求メッセージは、この部分が特番を表わしている。
【００５４】
ステップＳ２０６にて、ＣＰＵ８０は、ハードディスク８６が記憶したデータを参照して、パケットの送信先を選択する。ＣＰＵ８０は、特番と特番の内容との関係を表わすデータのうち、接続要求メッセージが表わす特番に対応するデータを参照することにより、パケットの送信の対象となる地域や役割を特定する。地域や役割が特定されると、ＣＰＵ８０は、ハードディスク８６が記憶したデータのうち、ＣＰＵ８０自らが特定した地域や役割に対応するデータから、パケットを送信するユーザの電話番号を特定する。電話番号が特定されると、インターフェイス１００は、ＣＰＵ８０の制御に応じて、緊急情報を報知するためのパケットを送信する。インターフェイス１００は、ユーザごとにパケットを送信してもマルチキャスト（特定同報）でパケットを送信してもよい。マルチキャストのメリットは、各ユーザに個別送信する場合よりも効率がよい点である。その理由は、インターフェイス１００がパケットを１個だけ送出すれば、ＩＰ電話網５６の途中にあるルータが、枝分かれの度に自動的にメッセージをコピーして再度マルチキャストを転送する点にある。
【００５５】
ステップＳ２０８にて、ＣＰＵ８０は通常の接続要求メッセージを受信した場合の処理を実行する。その動作自体は一般的なものである。したがって、ここではその詳細な説明は繰返さない。
【００５６】
図１３を参照して、アダプタ７２で実行されるプログラムは、緊急情報の報知に関し、以下の制御を実行する。
【００５７】
ステップＳ２２０にて、制御部１１０はＬＡＮインターフェイス１１４がＩＰ電話サーバ５４からパケットを受信したか否かを判断する（ステップＳ２２０）。そのようなパケットを受信したと判断した場合には（ステップＳ２２０にてＹＥＳ）、処理はステップＳ２２２へと移される。もしそうでないと（ステップＳ２２０にてＮＯ）、処理はステップＳ２２０へと戻される。
【００５８】
ステップＳ２２２にて、制御部１１０は、記憶部１１２が記憶したデータを参照して、ＬＡＮインターフェイス１１４が受信したパケットは緊急情報を表わすか否かを判断する。緊急情報を表わすか否かを判断する際、制御部１１０は、ＬＡＮインターフェイス１１４が受信した情報の種類を識別している。制御部１１０は、ステップＳ２２０にて受信したパケットの宛先欄に含まれた電話番号が特番であるか否かに基づき、この点を判断する。ＬＡＮインターフェイス１１４が受信したパケットは緊急情報を表わすと判断した場合には（ステップＳ２２２にてＹＥＳ）、処理はステップＳ２２４へと移される。もしそうでないと（ステップＳ２２２にてＮＯ）、処理はステップＳ２３２へと移される。
【００５９】
ステップＳ２２４にて、ＳＬＩＣ１１８は、制御部１１０の制御に応じて、電話機７４が鳴動するように制御信号を出力する。
【００６０】
ステップＳ２２６にて、制御部１１０は、ＴＥＬインターフェイス１２０が受信した信号に基づき、電話機７４の状態がオフフックの状態か否かを判断する（ステップＳ２２６）。オフフックの状態にあると判断した場合には（ステップＳ２２６にてＹＥＳ）、処理はステップＳ２２８へと移される。もしそうでないと（ステップＳ２２６にてＮＯ）、処理はステップＳ２２４へと移される。
【００６１】
ステップＳ２２８にて、制御部１１０は、記憶部１１２が記憶したデータのうち、ステップＳ２２０にて受信したパケットの宛先欄に含まれた特番に対応するデータを読出す。このデータは、通知する情報の種類を表わす。通知する情報の種類を表わすデータが読出されると、制御部１１０は、記憶部１１２がデータとして記憶した信号のうち、通知する情報の種類に対応する音声信号を読出す。音声信号が読出されると、制御部１１０は、ＳＬＩＣ１１８とＴＥＬインターフェイス１２０とを通じてその音声信号を電話機７４に出力する。これにより、制御部１１０は、次の要件を満たす場合、記憶部１１２が記憶した情報を電話機７４に信号として送信するようにＴＥＬインターフェイス１２０を制御することとなる。記憶部１１２が記憶した情報が送信される要件とは、緊急情報を表わすパケットをＬＡＮインターフェイス１１４が受信し、かつオフフックを表わす信号をＴＥＬインターフェイス１２０が受信することである。
【００６２】
ステップＳ２３０にて、制御部１１０は、電話機７４がオンフックの状態にあるか否かを判断する。電話機７４がオンフックの状態にあると判断した場合には（ステップＳ２３０にてＹＥＳ）、処理は終了する。もしそうでないと（ステップＳ２３０にてＮＯ）、処理はステップＳ２２８へと移される。
【００６３】
ステップＳ２３２にて、制御部１１０は通常の着信があった場合の処理を実行する。その処理には、次の２つの処理が含まれる。第１の処理は、ＬＡＮインターフェイス１１４が受信したパケットが接続要求メッセージであって緊急情報以外の情報を表わすと制御部１１０自身が識別した場合、着信信号を電話機７４に送信するようにＳＬＩＣ１１８を介してＴＥＬインターフェイス１２０を制御する処理である。第２の処理は、接続要求メッセージをＬＡＮインターフェイス１１４が受信し、かつオフフックを表わす信号をＴＥＬインターフェイス１２０が受信すると、ＬＡＮインターフェイス１１４とＴＥＬインターフェイス１２０との間で情報の通信を中継する処理である。
【００６４】
図１４は、本実施の形態に係るＩＰ電話システムでの、緊急情報の報知の過程を表わす図である。図１４を参照して、以上のような構造およびフローチャートに基づく、本実施の形態に係るＩＰ電話システムの動作について説明する。
【００６５】
消防署５０または警察署５２に設置された電話機を「電話機Ａ」と称する。本実施の形態に係るＩＰ電話システムを構成する電話機７４を「電話機Ｂ」と称する。電話機Ａのユーザが受話器を上げると、そのことを表わす信号がその電話機に接続されたアダプタに送信される。そのアダプタは、図１４における「アダプタＡ」に該当する。受話器を上げたことを表わす信号が送信されると、アダプタＡは発信音を出力させるための信号を電話機Ａに送信する。緊急事態が発生した頻合、その信号が送信されると、ユーザは特番をダイヤルする。この場合、ダイヤルされた特番は地域Ｘに地震があったことを表わす情報を通知するためのものとする。
【００６６】
特番がダイヤルされると、電話機ＡはアダプタＡにその特番を表わす信号を送信する。その信号が送信されると、アダプタＡはＩＰ電話サーバ５４に対し緊急情報を表わすパケットを送信する。
【００６７】
ＩＰ電話サーバ５４は、アダプタＡから接続要求メッセージを受信したか否かを判断する（ステップＳ２００）。この場合、接続要求メッセージの一種である緊急情報を表わすパケットが受信されたので（ステップＳ２００にてＹＥＳ）、ＣＰＵ８０は、その接続要求メッセージが緊急情報を表わすパケットか否かを判断する（ステップＳ２０２）。この場合、その接続要求メッセージは緊急情報を表わすパケットなので（ステップＳ２０２にてＹＥＳ）、ＣＰＵ８０は緊急情報を報知するための接続要求メッセージを作成する（ステップＳ２０４）。緊急情報を報知するための接続要求メッセージが作成されると、ＩＰ電話サーバ５４のインターフェイス１００は緊急情報を報知するための接続要求メッセージを電話Ｂのアダプタ７２に送信する。図１４における「アダプタＢ」は電話Ｂのアダプタ７２を意味する（ステップＳ２０６）。
【００６８】
アダプタ７２の制御部１１０はＬＡＮインターフェイス１１４がＩＰ電話サーバ５４からパケットを受信したか否かを判断する（ステップＳ２２０）。このパケットは、図１４において「ＩＰ電話サーバ」から「アダプタＢ」へ送信された「接続要求メッセージ」に相当する。この場合、パケットを受信したので（ステップＳ２２０にてＹＥＳ）、制御部１１０は、そのパケットは緊急情報を表わすか否かを判断する（ステップＳ２２２）。この場合、そのパケットは緊急情報を表わすので（ステップＳ２２２にてＹＥＳ）、ＳＬＩＣ１１８は、制御部１１０の制御に応じて、電話機７４が鳴動するように制御信号を出力する（ステップＳ２２４）。この場合、応答メッセージ（呼び出し中メッセージなど）をＩＰ電話サーバ５４ヘ返信する必要はない。電話機７４の制御回路１３０はその制御信号に応じた呼出音をスピーカ１４２に出力させる。本実施の形態の場合、スピーカ１４２によって出力される呼出音は制御回路１３０によってメロディに置き換えられた音である。アダプタ７２に接続されている電話機が受話器とフックスイッチとダイアルとのみを含む電話機であれば、受話器のスピーカはＳＬＩＣ１１８が出力した制御信号をそのまま出力してもよい。図１５は、緊急情報を表わすパケットをＬＡＮインターフェイス１１４が受信した場合にスピーカ１４２が出力する鳴動音のパターンを表わす図である。このパターンは、本実施の形態の場合における鳴動音のパターンである。したがって、他の実施の形態においては図１５に示すパターン以外のパターンで鳴動音が出力されてもよい。鳴動音によって緊急情報の受信をユーザが認識できることは望ましいことであるが、特段の事情がある場合には上述したような鳴動音の相違を設けなくてもよい。図１６は通常の接続要求メッセージをＬＡＮインターフェイス１１４が受信した場合にスピーカ１４２が出力する鳴動音のパターンを表わす図である。
【００６９】
呼出音が出力されると、制御部１１０は、ＴＥＬインターフェイス１２０が受信した信号に基づき、電話機７４の状態がオフフックの状態か否かを判断する（Ｓ２２６）。この信号は、図１４における「応答」と記載された矢印に対応する。この時、電話機７４がオフフックされると（ステップＳ２２６にてＹＥＳ）、制御部１１０は記憶部１１２がデータとして記憶した音声信号を電話機７４に送信する（ステップＳ２２８）。ＩＰ電話サーバ５４ヘの応答はない。この処理は図１４における「緊急内容を音声伝送」と記載された矢印に対応する。
【００７０】
音声信号が送信されると、制御部１１０は、電話機７４がオンフックの状態にあるか否かを判断する（ステップＳ２３０）。電話機７４がオンフックされないと（ステップＳ２３０にてＮＯ）、ステップＳ２２８〜ステップＳ２３０の処理が繰返される。
【００７１】
以上のようにして、本実施の形態に係るＩＰ電話システムにおいて、アダプタの制御部は、次の要件が満たされる場合、緊急情報を電気信号によって電話機に送信するようにＴＥＬインターフェイス１２０を制御する。その要件とは、接続要求メッセージのうち緊急情報を表わすパケットをＬＡＮインターフェイス１１４が受信することである。緊急情報を表わすパケットの受信後にＬＡＮインターフェイス１１４が情報を受信するか否かということは、緊急情報を信号として電話機に送信するか否かに影響を及ぼさない。緊急情報が受信されると、電話機は、ユーザに音声でそのことを報知する。このような報知は、上述した所定の機関から一般市民に対して実施される通知である。一般市民から所定の機関への通知という従来の通知とは逆の通知である。従来の通知とは逆の通知を実施するためにＩＰ電話サーバおよびアダプタが受信しなければならない情報は宛先に特番が記載されたパケットである。通常のＩＰ電話システムのように多くの信号をやり取りする必要はない。１回のメッセージで緊急情報の報知が可能となる。ＩＰ電話サーバヘの応答なしにアダプタが単独で緊急情報を伝達するため、ＩＰ電話網の故障や経路の遮断などがあったとしても問題ない。これにより、着信の途中でＩＰ電話網が破壊されることで報知が不可能になる可能性を低下させることができる。その結果、津波、地震その他の災害や重大犯罪といった緊急に伝えなくてはならない情報を比較的高い確率で通知できる。また、本実施の形態に係るＩＰ電話システムは、通知されるメッセージを複数用意することにより、様々な緊急事態に対応することができる。
【００７２】
なお、本実施の形態の第１の変形例に係るアダプタ７３は、補助電源１２４を含んでもよい。図１７は、アダプタ７３の制御ブロック図である。補助電源１２４は、電源１２２に電力を供給すべき設備が津波その他の災害によっては介された場合電源１２２に代わって制御部１１０などに電力を供給する。これにより、ユーザ宅が停電などになった場合でも、自動的に補助電源を使用することにより、アダプタは緊急情報の内容をユーザに伝えることができる。
【００７３】
また、本実施の形態の第２の変形例において、アダプタ７２は、テキストデータに基づいて音声信号を合成し、その音声信号を送信してもよい。この場合、音声信号を合成するためのテキストデータは、緊急情報を表わすパケットが含むこととする。記憶部１１２は音素を表わすデータをその音素に対応するテキストデータに対応付けて記憶することとする。図１８は、このとき記憶部１１２が記憶するデータを表わす概念図である。これにより、制御部１１０は、次の要件を満たす場合に、音素を表わすデータからメッセージを表わすデータを合成し、電話機７４に送信するように、ＴＥＬインターフェイス１２０を制御することとなる。その要件とは、緊急情報を表わすパケットをＬＡＮインターフェイス１１４が受信し、かつオフフックを表わす信号をＴＥＬインターフェイス１２０が受信することである。この「緊急情報を表わすパケット」は、特番を表わす情報と共にメッセージの情報を含む。なお、この変形例において記憶部１１２に記憶された「音素を表わすデータ」は、メッセージを表わす音声データや後述する信号のデータと共に記憶されていてもよいし、単独で記憶されていてもよい。制御部１１０は、この「音素を表わすデータ」を読み出すと共に信号のデータを読み出したり音素を表わすデータからメッセージを表わすデータを合成したりしてもよい。制御部１１０は、この「音素を表わすデータ」のみを読み出してもよい。
【００７４】
また、本実施の形態の第３の変形例において、緊急情報を報知するための接続要求メッセージは、通信の対象に対応する情報であって特番以外の情報を含む情報であってもよい。「通信の対象に対応する情報であって特番以外の情報」の例には、報知する内容に予め対応付けられた特別なＩＰアドレスが含まれる。
【００７５】
また、本実施の形態の第４の変形例において、アダプタ７２の制御部１１０は、パーソナルコンピュータ６４から直接音声信号を表わすデータを受信するように、ＬＡＮインターフェイス１１４を制御してもよい。図１９は、アダプタ７２がパーソナルコンピュータ６４から直接音声信号を表わすデータをダウンロードすることを表わす概念図である。
【００７６】
また、本実施の形態の第５の変形例において、アダプタ７２は、メッセージを特定するための符号を表わす信号のみを送信してもよい。この場合、電話機７４の制御回路１３０は、アダプタ７２から送信された信号に対応する音声データをメモリ１４６から読出し、受話器１３８あるいはスピーカ１４２に出力することとなる。これにより、アダプタ７２の制御部１１０は、次の要件を満たす場合に、記憶部１１２が記憶した符号の情報のいずれかを緊急情報の内容に応じて選択し、電話機７４に送信するように、ＴＥＬインターフェイス１２０を制御することとなる。その要件とは、緊急情報を表わすパケットをＬＡＮインターフェイス１１４が受信し、かつオフフックを表わす信号をＴＥＬインターフェイス１２０が受信することである。なお、この変形例において記憶部１１２に記憶された符号の情報は、メッセージを表わす音声データや音素を表わすデータと共に記憶されていてもよい。記憶部１１２には、メッセージを表わす音声データや音素を表わすデータが記憶されることなく、この符号の情報が記憶されていてもよい。メッセージを表わす音声データや音素を表わすデータと共に符号の情報が記憶されている場合、制御部１１０は、この符号の情報を読み出すと共にメッセージを表わす音声データを読み出したり音素を表わすデータからメッセージを表わすデータを合成したりしてもよい。制御部１１０は、この符号の情報のみを読み出してもよい。
【００７７】
＜第２の実施の形態＞
本実施の形態に係るＩＰ電話システムのハードウェア構成については前述の第１の実施の形態と同じである。それらについての機能も同じである。したがって、それらについての詳細な説明はここでは繰返さない。
【００７８】
図２０を参照して、ＩＰ電話サーバで実行されるプログラムは、緊急情報を表わすパケットの送信に関し、以下のような制御を実行する。なお、図２０に示すフローチャートの中で、前述の図１０に示した処理には同じステップ番号を付してある。それらの処理も同じである。したがって、それらについての詳細な説明はここでは繰返さない。
【００７９】
ステップＳ２１０にて、キーボード９４は管理者から電話番号の入力を受付ける。キーボード９４が受付けた電話番号は、第１の実施の形態における「接続要求メッセージ」と同様に取扱われる。なお、キーボード９４の他に図示しない緊急情報専用のボタンが設けられている場合、そのボタンが押されたことに応じてそのボタンに対応する電話番号をハードディスク８６からＣＰＵ８０が読み出すこととなっていてもよい。
【００８０】
ステップＳ２１２にて、ＣＰＵ８０はキーボード９４が受付けた電話番号が緊急情報を表わす番号すなわち特番か否かを判断する。特番と判断した場合には（ステップＳ２１２にてＹＥＳ）、処理はステップＳ２０４へと移される。もしそうでないと（ステップＳ２１２にてＮＯ）、処理はステップＳ２０８へと移される。
【００８１】
図２１は、本実施の形態に係るＩＰ電話システムの動作を表わす図である。図２１を参照して、以上のような構造およびフローチャートに基づく本実施の形態に係るＩＰ電話システムの動作について説明する。
【００８２】
キーボード９４は電話番号を受付ける。キーボード９４の他に図示しない緊急情報専用のボタンが設けられ、かつそのボタンが押された場合、ＣＰＵ８０は、キーボード９４が電話番号を受付けなくても、押されたボタンに対応する電話番号をハードディスク８６から読み出す（ステップＳ２１０）。電話番号が受付けられる、ＣＰＵ８０は、その電話番号が特番か否かを判断する（ステップＳ２１２）。この場合、その電話番号が特番とすると（ステップＳ２１２にてＹＥＳ）、ステップＳ２０４の処理を経て、ＩＰ電話サーバ５４のインターフェイス１００は緊急情報を報知するための接続要求メッセージをアダプタ７２に送信する。図１４における「アダプタＢ」はこのアダプタ７２を意味する（ステップＳ２０６）。また、図２１における「接続要求メッセージ」と記載された矢印がこの処理に該当する。
【００８３】
その後、ステップＳ２２０〜ステップＳ２２２の処理を経て、ＳＬＩＣ１１８は、制御部１１０の制御に応じて、電話機７４が鳴動するように制御信号を出力する（ステップＳ２２４）。図２１において「着信信号」と記載された矢印がこの出力を表わす。
【００８４】
制御信号が出力されると、制御部１１０は、ＴＥＬインターフェイス１２０が受信した信号に基づき、電話機７４の状態がオフフックの状態か否かを判断する（Ｓ２２６）。この信号は、図２１における「応答」と記載された矢印に対応する。この時、電話機７４がオフフックされると（ステップＳ２２６にてＹＥＳ）、制御部１１０は記憶部１１２がデータとして記憶した音声信号を電話機７４に送信する（ステップＳ２２８）。ＩＰ電話サーバ５４ヘの応答はない。この処理は図２１における「緊急内容を音声伝送」と記載された矢印に対応する。
【００８５】
以上のようにして、本実施の形態に係るＩＰ電話電話システムは、ＩＰ電話サーバに特番が入力されると緊急情報を報知できる。そのために複雑にパケットをやり取りする必要がない。その結果、津波その他の災害や重大災害についての報知を比較的高い確率で実施できるＩＰ電話システムを提供することができる。
【００８６】
＜第３の実施の形態＞
本実施の形態に係るＩＰ電話システムのハードウェア構成については前述の第１の実施の形態と同じである。それらについての機能も同じである。したがって、それらについての詳細な説明はここでは繰返さない。
【００８７】
図２２を参照して、アダプタで実施されるプログラムは、緊急情報の報知に関し、以下のような制御を実行する。なお、図２２に示すフローチャートの中で、前述の図１３に示した処理には同じステップ番号を付してある。それらの処理も同じである。したがって、それらについての詳細な説明はここでは繰返さない。
【００８８】
ステップＳ２４０にて、電話機７４の制御回路１３０は、操作キー１４４のうちユーザが操作したキーを検出する。キーが検出されると、制御回路１３０は、検出されたキーを表わす信号をアダプタ７２に送信する。アダプタ７２のＴＥＬインターフェイス１２０は、その信号を受信する。
【００８９】
ステップＳ２４２にて、アダプタ７２の制御部１１０は、操作キー１４４のうちいずれかの番号のキーをステップＳ２４０にてユーザが操作したか否かを判断する。いずれかの番号のキーを操作したと判断した場合には（ステップＳ２４２にてＹＥＳ）、処理は終了する。もしそうでないと（ステップＳ２４２にてＮＯ）、処理はステップＳ２２４へと移される。
【００９０】
以上のような構造およびフローチャートに基づく、ＩＰ電話システムの動作について説明する。
【００９１】
ステップＳ２００〜ステップＳ２２８の処理を経て、アダプタ７２のＴＥＬインターフェイス１２０は、電話機７４の制御回路１３０が検出したキーを表わす信号を受信する（ステップＳ２４０）。信号が受信されると、ステップＳ２３０の処理を経て、アダプタ７２の制御部１１０は、操作キー１４４のうちいずれかの番号のキーをステップＳ２４０にてユーザが操作したか否かを判断する（ステップＳ２４２）。この場合、キーが操作されていないとすると（ステップＳ２４２にてＮＯ）、ステップＳ２２４〜ステップＳ２４２の処理が繰返される。その度に、電話機７４が鳴動し、記憶部１１２がデータとして記憶した音声信号は電話機７４に送信される。
【００９２】
その後、電話機７４の「１」というキーが操作されたとすると（ステップＳ２４２にてＹＥＳ）、アダプタ７２は処理を終了する。
【００９３】
以上のようにして、本実施の形態に係る制御部１１０は、次の要件を満たす場合、緊急情報を電話機７４に信号として繰返して送信するようにＴＥＬインターフェイス１２０を制御する。その要件とは、ＬＡＮインターフェイス１１４が受信したパケットが緊急情報を表わすと制御部１１０が識別することである。着信信号は、ユーザによる電話機７４の操作に応じて電話機７４が送信する信号をＴＥＬインターフェイス１２０が受信するまで送信される。これにより、ユーザは確実に津波その他の災害や重大犯罪についての通知を知ることができる。その結果、津波その他の災害や重大犯罪についての通知を高い確率で実施できるＩＰ電話システムを提供することができる。
【００９４】
＜第４の実施の形態＞
図２３は、本実施の形態に係るＩＰ電話システムの構成を表わす概念図である。図２３を参照して、本実施の形態に係るＩＰ電話システムは、ＩＰ電話サーバ５４と、ＩＰ電話端末７０と、地震計６６とを含む。地震計６６は地震があったことを検出し、そのことをＩＰ電話サーバ５４に送信する。なお、その他のハードウェア構成については前述の第１の実施の形態と同じである。それらについての機能も同じである。したがって、それらについての詳細な説明はここでは繰返さない。
【００９５】
図２４を参照して、ＩＰ電話サーバ５４で実行されるプログラムは、緊急情報を表わすパケットの送信に関し、以下のような制御を実行する。なお、図２４に示すフローチャートの中で、前述の図１０に示した処理には同じステップ番号を付してある。それらの処理も同じである。したがって、それらについての詳細な説明はここでは繰返さない。
【００９６】
ステップＳ２１２にて、ＩＰ電話サーバ５４のＣＰＵ８０は地震計６６が地震を検出したことを表わすパケットを送信したか否かを判断する。そのパケットを送信したと判断した場合には（ステップＳ２１２にてＹＥＳ）、処理はステップＳ２０４へと移される。もしそうでないと（ステップＳ２１２にてＮＯ）、処理はステップＳ２１２へと戻される。
【００９７】
以上のような構造およびフローチャートに基づく、ＩＰ電話システムの動作について説明する。
【００９８】
地震計６６が地震を検知したとする。地震計６６はそのことを表わすパケットをＩＰ電話サーバ５４に送信する。そのパケットは、有線通信により送信されても無線通信により送信されてもよい。地震計６６とＩＰ電話サーバ５４との間には中継用の装置が接続されていてもいなくてもよい。ＩＰ電話サーバ５４のインターフェイス１００は、そのパケットを受信する。ＩＰ電話サーバ５４のＣＰＵ８０は、地震計６６がそのようなパケットを送信したか否かを判断する（ステップＳ２１２）。この場合、そのようなパケットが送信されたので（ステップＳ２１２にてＹＥＳ）、ステップＳ２０４以降の処理によりＩＰ電話サーバ５４はＩＰ電話端末７０に対し緊急情報を表わすパケットを報知する。
【００９９】
以上のようにして、本実施の形態に係るＩＰ電話システムは、地震その他の災害があったことを自動的に検知し、かつそのことに基づく情報を自動的に実施する。これにより、人が介在しなくてもいち早く緊急情報が可能になる。その結果、津波その他の災害についての通知を高い確率で実施できるＩＰ電話システムを提供することができる。
【０１００】
＜第５の実施の形態＞
図２５は、本実施の形態に係るアダプタ７５の制御ブロック図である。図２５を参照して、アダプタ７５は、制御部１１０と、記憶部１１２と、ＬＡＮインターフェイス１１４と、ＰＨＹ１１６と、ＳＬＩＣ１１８と、ＴＥＬインターフェイス１２０と、電源１２２と、アンプ１２６と、スピーカ１２８とを含む。アンプ１２６は制御部１１０が出力した音声信号を増幅する。スピーカ１２８はアンプ１２６が増幅した音声信号を音として出力する。この音が、音声による情報を表わす。なお、その他のハードウェア構成については前述の第１の実施の形態と同じである。それらについての機能も同じである。したがって、それらについての詳細な説明はここでは繰返さない。
【０１０１】
図２６を参照して、ＩＰ電話システムで実行されるプログラムは、緊急情報を表わすパケットの送信に関し、以下のような制御を実行する。なお、図２２に示すフローチャートの中で、前述の図１３に示した処理には同じステップ番号を付してある。それらの処理も同じである。したがって、それらについての詳細な説明はここでは繰返さない。
【０１０２】
ステップＳ２４６にて、制御部１１０は、記憶部１１２がデータとして記憶した音声信号をアンプ１２６に出力する。アンプ１２６はその音声信号を増幅する。スピーカ１２８は、アンプ１２６が増幅した音声信号を音として出力する。これにより、制御部１１０は、緊急情報を報知するためのパケットをＬＡＮインターフェイス１１４が受信すると、音を出力するようにスピーカ１２８を制御することとなる。
【０１０３】
以上のような構造およびフローチャートに基づくＩＰ電話システムの動作について説明する。
【０１０４】
ステップＳ２２０までの処理により、緊急情報を表わすパケットをＬＡＮインターフェイス１１４が受信すると（ステップＳ２２２にてＹＥＳ）、制御部１１０は記憶部１１２がデータとして記憶した音声信号をスピーカ１２８に出力させる（ステップＳ２４６）。
【０１０５】
以上のようにして、本実施の形態に係るＩＰ電話システムは、ユーザが受話器を介してメッセージを受信する前に、スピーカを介してそのメッセージを報知する。これにより、ユーザは予め津波その他の災害や重大犯罪についての通知を聞き取ることができる。その結果、津波その他の災害や重大犯罪についての通知を比較的高い確率で実施できるＩＰ電話システムを提供することができる。
【０１０６】
＜第６の実施の形態＞
図２７は、本実施の形態に係るアダプタ７７の制御ブロック図である。図２７を参照して、本実施の形態に係るアダプタ７７は、制御部１１０と、記憶部１１２と、ＬＡＮインターフェイス１１４と、ＰＨＹ１１６と、ＳＬＩＣ１１８と、ＴＥＬインターフェイス１２０と、電源１２２と、回転灯ドライバ１２７と、回転灯１２９とを含む。回転灯ドライバ１２７は、制御部１１０が出力した信号に応じて回転灯１２９を点灯させるための制御信号を生成する。これにより、制御部１１０と回転灯ドライバ１２７とは、緊急情報を報知するためのパケットをＬＡＮインターフェイス１１４が受信すると、光を出力するように回転灯１２９を制御することとなる。
【０１０７】
図２８を参照して、アダプタ７７で実行されるプログラムは、緊急情報の報知に関し、以下のような制御を実行する。なお、図２８に示すフローチャートの中で、前述の図１３に示した処理には同じステップ番号を付してある。それらの処理も同じである。したがって、それらについての詳細な説明はここでは繰返さない。
【０１０８】
ステップＳ２４８にて、制御部１１０は、接続要求メッセージが表わす特番に対応するデータを記憶部１１２から読出す。データが読出されると、制御部１１０は、読出されたデータを光信号用のデータに変換する。データが変換されると、制御部１１０は、変換されたデータを回転灯ドライバ１２７に出力する。回転灯ドライバ１２７は、制御部１１０が出力したデータに基づき、制御信号を生成する。回転灯１２９は、回転灯ドライバ１２７が生成した制御信号に応じて点灯する。ステップＳ２５０にて、制御部１１０は回転灯１２９の点灯を終了させる。
【０１０９】
以上のような構造およびフローチャートに基づく、本実施の形態に係るＩＰ電話システムの動作について説明する。
【０１１０】
ステップＳ２２２までの処理により、アダプタ７７が、緊急情報を表わすパケットを受信すると（ステップＳ２２２にてＹＥＳ）、制御部１１０は回転灯１２９を点灯させる（ステップＳ２４８）。回転灯が点灯すると、ステップＳ２２４〜ステップＳ２３０の処理を経て、制御部１１０は回転灯１２９の点灯を終了させる（ステップＳ２５０）。
【０１１１】
以上のようにして、本実施の形態に係るＩＰ電話システムは、ユーザへの緊急情報に先立ち回転灯を点灯させる。これにより、ユーザは緊急情報を表わすメッセージを聞く前に予め緊急情報を知ることができる。その結果、津波その他の災害や重大犯罪についての情報を高い確率で実施できるＩＰ電話システムを提供することができる。
【０１１２】
なお、本実施の形態の変形例において、回転灯１２９は制御部１１０の制御にしたがって光と共に音を出力してもよい。
【０１１３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１４】
【図１】本発明の第１の実施の形態に係るＩＰ電話システムの構成を表わす図である。
【図２】本発明の第１の実施の形態に係るＩＰ電話サーバの制御ブロック図である。
【図３】本発明の第１の実施の形態に係るＩＰ電話サーバが役割に対応付けて記憶するユーザの電話番号を表わす図である。
【図４】本発明の第１の実施の形態に係るＩＰ電話サーバが住む地域に対応付けて記憶するユーザの電話番号を表わす図である。
【図５】本発明の第１の実施の形態に係る特番と特番の内容との関係を表わす図である。
【図６】本発明の第１の実施の形態に係るアダプタの制御ブロック図である。
【図７】本発明の第１の実施の形態に係る緊急情報の内容に対応付けたデータを表わす図である。
【図８】本発明の第１の実施の形態に係る電話機の制御ブロック図である。
【図９】本発明の第１の実施の形態に係るアダプタが音声信号のデータをダウンロードできることを表わす概念図である。
【図１０】本発明の第１の実施の形態に係る緊急情報を表わすパケットの送信処理の制御の手順を示すフローチャートである。
【図１１】本発明の第１の実施の形態において緊急情報を報知するための接続要求メッセージのうち、ＳＩＰに則って記述される部分のデータをテキストデータとして表わした図である。
【図１２】本発明の第１の実施の形態において通常時に送信する接続要求メッセージのうち、ＳＩＰに則って記述される部分のデータをテキストデータとして表わした図である。
【図１３】本発明の第１の実施の形態に係る緊急情報の報知処理の制御の手順を示すフローチャートである。
【図１４】本発明の第１の実施の形態に係るＩＰ電話システムでの、緊急情報の報知の過程を表わす図である。
【図１５】本発明の第１の実施の形態に係るＩＰ電話システムにおいて緊急情報があった場合に電話機のスピーカが出力する鳴動音のパターンを表わす図である。
【図１６】本発明の第１の実施の形態に係るＩＰ電話システムにおいて通常の接続要求メッセージを受信した場合に電話機のスピーカが出力する鳴動音のパターンを表わす図である。
【図１７】本発明の第１の実施の形態の第１の変形例に係るアダプタの制御ブロック図である。
【図１８】本発明の第１の実施の形態の第２の変形例において、アダプタが記憶するデータの内容を表わす概念図である。
【図１９】本発明の第１の実施の形態の第４の変形例に係るアダプタがパーソナルコンピュータ６４から直接音声信号のデータをダウンロードできることを表わす概念図である。
【図２０】本発明の第２の実施の形態に係る緊急情報を表わすパケットの送信処理の制御の手順を示すフローチャートである。
【図２１】本発明の第２の実施の形態に係るＩＰ電話システムの動作を表わす図である。
【図２２】本発明の第３の実施の形態に係る緊急情報の報知処理の制御の手順を示すフローチャートである。
【図２３】本発明の第４の実施の形態に係るＩＰ電話システムの構成を表わす概念図である。
【図２４】本発明の第４の実施の形態に係る緊急情報を表わすパケットの送信処理の制御の手順を示すフローチャートである。
【図２５】本発明の第５の実施の形態に係るアダプタの制御ブロック図である。
【図２６】本発明の第５の実施の形態に係る緊急情報を表わすパケットの送信処理の制御の手順を示すフローチャートである。
【図２７】本発明の第６の実施の形態に係るアダプタの制御ブロック図である。
【図２８】本発明の第６の実施の形態に係る緊急情報の報知処理の制御の手順を示すフローチャートである。
【図２９】一般的なＩＰ電話システムの通信の手順を表わす図である。
【符号の説明】
【０１１５】
５０  消防署、５２  警察署、５４  ＩＰ電話サーバ、５６  ＩＰ電話網、５８  居宅、６０  ＩＰ電話ゲートウェイ、６２  更新サーバ、６４  パーソナルコンピュータ、６６  地震計、７０  ＩＰ電話端末、７２，７３，７５，７７  アダプタ、７４  電話機、８０  ＣＰＵ、８２  ＲＯＭ、８４  ＲＡＭ、８６  ハードディスク、８８  メモリカードドライブ、９０  ＣＤ−ＲＯＭドライブ、９２  マウス、９４  キーボード、９６  ディスプレイ、９８  プリンタ、１００  インターフェイス、１０２  バス、１０４  メモリカード、１０６  ＣＤ−ＲＯＭ、１１０  制御部、１１２  記憶部、１１４  ＬＡＮインターフェイス、１１６  ＰＨＹ、１１８  ＳＬＩＣ、１２０  ＴＥＬインターフェイス、１２２  電源、１２４  補助電源、１２６  アンプ、１２７  回転灯ドライバ、１２８  スピーカ、１２９  回転灯、１３０  制御回路、１３６  通話回路、１３８  受話器、１４０  フックスイッチ、１４２  スピーカ、１４４  操作キー、１４６  メモリ。
【図１】
2007300533.tif 000003
【図２】
2007300533.tif 000004
【図３】
2007300533.tif 000005
【図４】
2007300533.tif 000006
【図５】
2007300533.tif 000007
【図６】
2007300533.tif 000008
【図７】
2007300533.tif 000009
【図８】
2007300533.tif 000010
【図９】
2007300533.tif 000011
【図１０】
2007300533.tif 000012
【図１１】
2007300533.tif 000013
【図１２】
2007300533.tif 000014
【図１３】
2007300533.tif 000015
【図１４】
2007300533.tif 000016
【図１５】
2007300533.tif 000017
【図１６】
2007300533.tif 000018
【図１７】
2007300533.tif 000019
【図１８】
2007300533.tif 000020
【図１９】
2007300533.tif 000021
【図２０】
2007300533.tif 000022
【図２１】
2007300533.tif 000023
【図２２】
2007300533.tif 000024
【図２３】
2007300533.tif 000025
【図２４】
2007300533.tif 000026
【図２５】
2007300533.tif 000027
【図２６】
2007300533.tif 000028
【図２７】
2007300533.tif 000029
【図２８】
2007300533.tif 000030
【図２９】
2007300533.tif 000031